(57)【要約】      （修正有）【課題】初心者にも簡単に着脱でき、不特定多数の人が衛生的に使用できるとともに、見栄えの良い相撲用まわしを提供する。【解決手段】腰に巻いた横褌１と太ももベルト吊り６と太ももベルト７からなる相撲用まわしで、横褌に上へ持ち上げる力が加わった場合に、その力が太ももベルト吊りを介して太ももベルトに伝わりその力を太ももでくい止める事により、横褌が上にずれる事を防止するとともに、衣服の上から着脱が簡単に出来るようにした。【選択図】図１
2013234414.tif 000002
【特許請求の範囲】
【請求項１】
衣服の上から着脱が簡単に出来る相撲用まわしにおいて、
（１）消防ホースや綿布等で筒状の物をひらたく帯状にした物を従来の相撲用まわしの横褌とする。（以後、横褌と呼ぶ）
（２）その横褌の先端に片側を横褌に縫込み、もう一方を伸ばしたベルトを横褌先端ズレ止めベルトとし、横褌の表側と横褌先端ズレ止めベルトの裏側にマジックテープ（登録商標）を縫い込む。
（３）横褌の反対側の端部には、横褌の先端を通す横褌末端ズレ止めベルトを横褌に縫い付け、中間には横褌に縫付けない移動できる中間ズレ止めベルトを配置する。
（４）その横褌の先端を横褌末端ズレ止めベルトと中間で中間ズレ止めベルトの中を通し、腰に二重に巻いて、横褌の横褌先端ズレ止めベルトは重ねた横褌を縦に一周廻してマジックテープ（登録商標）で先端がずれない様に止める。
（５）二つの大小の輪がある太ももベルト吊りの大きい方の輪に上記の横褌を通して取り付け、小さい方の輪に縫付けた太ももベルトにはマジックテープ（登録商標）が両端に付けてあり、太ももを一周して太ももが締まる長さに太ももベルトの長さを調整して、マジックテープ（登録商標）で止める。
以上からなる構成により横褌に上へ持ち上げる力が加わった場合に、その力が太ももベルト吊りを介して太ももベルトに伝わりその力を太ももでくい止める事により、従来の立褌の機能である横褌に上へ持ち上げる力が加わった場合横褌が上にずれる事を防止するようにした、衣服の上から着脱が簡単に出来る相撲用まわし。
【発明の詳細な説明】
【技術分野】
【０００１】この発明は、相撲用まわしに関するものである。
【背景技術】
【０００２】従来、一枚の帯状の布を腰に巻き、その布で横褌、立褌を形成して相撲用まわしとしていた。
【発明の開示】
【発明が解決しようとする課題】
【０００３】従来は次のような欠点があった。
（イ）初心者には一枚の帯状の布を相撲用のまわしとして巻くのは難しい。
（ロ）他人が使用した相撲用まわしを使用するのに衛生的に問題がある。
（ハ）立褌が股間を通り、その見栄えに抵抗がある人がいる。
【課題を解決するための手段】
【０００４】本発明は、消防ホースや綿布等で筒状の物をひらたく帯状にした物を従来の相撲用まわしの横褌とする。その横褌の先端に片側を横褌に縫込み、もう一方を伸ばしたベルトを横褌先端ズレ止めベルトとし、横褌の表側と横褌先端ズレ止めベルトの裏側にマジックテープ（登録商標）を縫い込む。
横褌の反対側の端部には、横褌の先端を通す横褌末端ズレ止めベルトを横褌に縫い付け、中間には横褌に縫付けない移動できる中間ズレ止めベルトを配置する。その横褌の先端を横褌末端ズレ止めベルトと中間で中間ズレ止めベルトの中を通し、腰に二重に巻いて、横褌の横褌先端ズレ止めベルトは重ねた横褌を縦に一周廻してマジックテープ（登録商標）で先端がずれない様に止める。二つの大小の輪がある太ももベルト吊りの大きい方の輪に上記の横褌を通して取り付け、小さい方の輪に縫付けた太ももベルトにはマジックテープ（登録商標）が両端に付けてあり、太ももを一周して太ももが締まる長さに太ももベルトの長さを調整して、マジックテープ（登録商標）で止める。
以上からなる構成により横褌に上へ持ち上げる力が加わった場合に、その力が太ももベルト吊りを介して太ももベルトに伝わりその力を太ももでくい止める事により、従来の立褌の機能である横褌に上へ持ち上げる力が加わった場合横褌が上にずれる事を防止するようにした、衣服の上から着脱が簡単に出来る相撲用まわし。
【発明の効果】
【０００５】以上の構成であるため、装着はあらかじめ横褌に中間ズレ止めベルトと太ももベルト吊りを通し、横褌先端ズレ止めベルトの付いた先端を横褌末端ズレ止めベルトと中間に中間ズレ止めベルトの中を通して各自のウェスト寸法の合う位置で横褌の横褌先端ズレ止めベルトを重ねた横褌を縦に一周廻してマジックテープ（登録商標）で先端がずれない様に止める。
そして二つの大小の輪がある太ももベルト吊りの大きい方の輪に上記の横褌を通して取り付け、小さい方の輪に縫付けた太ももベルトにはマジックテープ（登録商標）が両端に付けてあり、太ももを一周して太ももが締まる長さに太ももベルトの長さを調整して、マジックテープ（登録商標）で止める。
そのため、上記の形状を最初に作っておけば、次の人からはズボンをはく様な要領で各自のウェスト寸法の合う位置で消防ホースの横褌先端ズレ止めベルトを重ねた横褌を縦に一周廻してマジックテープ（登録商標）で先端がずれない様に止めて、太ももベルトの長さを調整する事で相撲用まわしの装着が簡単に出来る。
また、この横褌に上へ持ち上げる力が加わった場合に、その力が太ももベルト吊りを介して太ももベルトに伝わりその力を太ももでくい止める事により、従来の立褌の機能である横褌に上へ持ち上げる力が加わった場合横褌が上にずれる事を防止する役割をする為、衣服の上から着脱が簡単に出来る相撲用まわしを提供する事が出来る。
【実用例】
【０００６】以下、本発明の実用例について説明する。
（イ）あらかじめこの横褌に中間ズレ止めベルトと太ももベルト吊りを通し、横褌先端ズレ止めベルトの付いた先端を横褌末端ズレ止めベルトと中間に中間ズレ止めベルトの中を通して各自のウェスト寸法の合う位置で横褌の横褌先端ズレ止めベルトを重ねた横褌を縦に一周廻してマジックテープ（登録商標）で先端がずれない様に止める。
（ロ）二つの大小の輪がある太ももベルト吊りの大きい方の輪に上記の横褌を通して取り付け、小さい方の輪に縫付けた太ももベルトにはマジックテープ（登録商標）が両端に付けてあり、太ももを一周して太ももが締まる長さに太ももベルトの長さを調整して、マジックテープ（登録商標）で止める。
（ハ）競技終了後にベルトを緩めてそのままの形で取り外すと、次の装着からはズボンをはく様な要領で各自のウェスト寸法の合う位置で横褌の横褌先端ズレ止めベルトを重ねた横褌を縦に一周廻してマジックテープ（登録商標）で先端がずれない様に止め、太ももベルトの長さを調整するのみで装着できる。
【発明の効果】
【０００７】本発明は以上のような機能で、これを利用することによって以下のような効果が得られる。
（イ）初心者でも簡単に相撲のまわしが着脱できる。
（ロ）衣服の上から着脱出来るので不特定多数の人が同じまわしを衛生的に問題なく使用できる。
（ハ）股間を通る立褌がないため見栄えに抵抗感が無くなる。
【図面の簡単な説明】
【０００８】
【図１】は全体の斜視図
【図２】は全体の展開図
【図３】は横褌先端ズレ止めベルトの詳細図
【図４】は横褌末端ズレ止めベルトの詳細図
【図５】太ももベルト吊り、太ももベルトの詳細図
【図６】は衣服の上から着脱が簡単に出来る相撲用まわしを装着（符号記入）して相撲をする場合のイメージ図３例
【符号の説明】
【０００９】１．横褌
２．横褌先端ズレ止めベルト
３．横褌末端ズレ止めベルト
４．横褌中間ズレ止めベルト
５．マジックテープ（登録商標）；斜線部分
６．太ももベルト吊り
７．太ももベルト
８．太ももベルトをつけた時、余分な長さの太ももベルトの揺れを止める為の筒状の織ゴム
【図１】
2013234414.tif 000003
【図２】
2013234414.tif 000004
【図３】
2013234414.tif 000005
【図４】
2013234414.tif 000006
【図５】
2013234414.tif 000007
【図６】
2013234414.tif 000008